【手続補正書】
【提出日】平成24年8月6日(2012.8.6)
【手続補正１】
【補正対象書類名】特許請求の範囲
【補正対象項目名】全文
【補正方法】変更
【補正の内容】
【特許請求の範囲】
【請求項１】
粉体ディスペンサモジュールであって、
粉体を受け入れるための粉体取入口、粉体取出口、ならびに粉体取入口および粉体取出口を連結する導管を規定するハウジング、
粉体取入口から粉体取出口へ導管を介して粉体を動かすためのフィードウォンドであって、第１ドライブシャフトに連結される下方フィードエレメントおよび第２ドライブシャフトに連結される上方フィードエレメントを含む、前記フィードウォンド、
下方フィードエレメントを回転させるための第１ドライブシャフトに連結される第１アクチュエータ、および
上方フィードエレメントを回転させるための第２ドライブシャフトに連結される第２アクチュエータ
を含む、前記粉体ディスペンサモジュール。
【請求項２】
第１ドライブシャフトが内部シャフトを含み、第２ドライブシャフトが内部シャフトと同心の外部シャフトを含む、請求項１に記載の粉体ディスペンサモジュール。
【請求項３】
内部シャフトが外部シャフトに相対的に自由に回転するために、フィードウォンドが、内部シャフトおよび外部シャフトの間にベアリングおよびシールをさらに含む、請求項２に記載の粉体ディスペンサモジュール。
【請求項４】
上方フィードエレメントがワイヤフレームを含み、下方フィードエレメントがオーガーを含み、ワイヤフレームが、らせん部分およびらせん部分の上に位置する直線部分を含む、請求項２に記載の粉体ディスペンサモジュール。
【請求項５】
少なくとも１つのオリフィスを有し粉体取出口の隣接に位置するオリフィス要素、ならびにオーガーおよびオリフィス要素の間の空間を規定するための、フィードウォンドおよびオリフィス要素の間に位置するベアリングをさらに含み、オリフィス要素がベアリングを支持する造粒機を含む、請求項４に記載の粉体ディスペンサモジュール。
【請求項６】
造粒機が、ベアリングを受け入れるためのリングを支持するスポークを含み、スポークが、粉体の分注のためのオリフィスを規定する、請求項７に記載の粉体ディスペンサモジュール。
【請求項７】
粉体ディスペンサモジュールであって、
粉体を受け入れるための粉体取入口、粉体取出口、ならびに粉体取入口および粉体取出口を連結する導管を規定するハウジング、
粉体取入口から粉体取出口へ導管を介して粉体を動かすためのフィードウォンドアセンブリ、
粉体取出口を制御するためのバルブであって、バルブが、フィードウォンドアセンブリの軸に垂直な軸の周りで回転するバルブ部材を含む、前記バルブ、および
バルブを開放位置および閉鎖位置の間で動作させる、バルブアクチュエータ、
を含む、前記粉体ディスペンサモジュール。
【請求項８】
バルブ部材が、ディスク平面内の軸の周りを回転するために装着されるディスクを含む、請求項７に記載の粉体ディスペンサモジュール。
【請求項９】
ディスクが、粉体の蓄積を制限するための鋭い外縁を有する、請求項８に記載の粉体ディスペンサモジュール。
【請求項１０】
粉体分注および検出装置であって、
カートリッジを保持するように構成されたカートリッジフォルダを受ける支持機構、
粉体をカートリッジに分注するための粉体ディスペンサモジュールを含む粉体ディスペンサアセンブリ、
粉体を粉体ディスペンサモジュールに送達するための粉体移送システム、
カートリッジそれぞれの各充填状態を検知するための複数のセンサセルを含むセンサモジュール、および
カートリッジそれぞれの検知された各充填状態に応じて、粉体ディスペンサモジュールを制御する制御システムを含み、
制御システムは、粉体ディスペンサモジュールのそれぞれに埋め込みプロセッサを含み、それぞれの埋め込みプロセッサは各センサセルおよび粉体ディスペンサモジュールの要素と通信を行う、前記粉体分注および検出装置。
【請求項１１】
粉体ディスペンサモジュールのそれぞれが、
粉体を受け入れるための粉体取入口、粉体取出口、ならびに粉体取入口および粉体取出口を連結する導管を規定するハウジング、
粉体取入口から粉体取出口へ導管を介して粉体を動かすためのフィードウォンドであって、第１ドライブシャフトに連結される下方フィードエレメントおよび第２ドライブシャフトに連結される上方フィードエレメントを含む、前記フィードウォンド、
下方フィードエレメントを回転させるための第１ドライブシャフトに連結される第１アクチュエータ、および
上方フィードエレメントを回転させるための第２ドライブシャフトに連結される第２アクチュエータ、
を含む、請求項１０に記載の粉体分注および検出装置。
【請求項１２】
第１ドライブシャフトが内部シャフトを含み、第２ドライブシャフトが内部シャフトと同心の外部シャフトを含む、請求項１１に記載の粉体分注および検出装置。
【請求項１３】
粉体ディスペンサモジュールのそれぞれが、粉体取出口を制御するバルブおよびバルブを開放位置および閉鎖位置の間で動作させるためのバルブアクチュエータをさらに含み、
制御システムが、バルブの閉鎖をしながら粉体ディスペンサモジュールのそれぞれの上方フィードエレメントを回転させるように動作可能であると同時に、
下方フィードエレメントを動かない状態に維持することができ、バルブを開放することができ、各カートリッジに開放した状態のバルブを通って粉体を分注するために上方フィードエレメントおよび下方フィードエレメントを回転させることができ、それぞれのカートリッジが所望の充填状態に達した場合にバルブを閉鎖することができる、請求項１１に記載の粉体分注および検出装置。
【請求項１４】
粉体をカートリッジへ分注するための方法であって、
粉体を含有する導管および導管の下端にバルブを有するディスペンサモジュールの下にカートリッジを位置させること、
バルブを閉鎖して、下方フィードエレメントを動かない状態に維持しながら導管の上方フィードエレメントを動作させること、
バルブを開放すること、
開放されたバルブを通って粉体をカートリッジに分注するために、導管の上方フィードエレメントおよび下方フィードエレメントを動作させること、および
カートリッジが所望の充填状態に達すると、バルブを閉じること、
を含む、前記方法。
【請求項１５】
粉体分注および検出装置であって、
少なくとも１つの列のカートリッジを保持するように構成されるカートリッジフォルダを受ける支持機構、
少なくとも１つの列のカートリッジの各カートリッジに粉体を分注するための粉体ディスペンサモジュールを含む粉体ディスペンサアセンブリであって、１つ以上の列の粉体ディスペンサモジュールを有する配列を含む、前記粉体ディスペンサアセンブリ、
粉体を粉体ディスペンサモジュールへ送達するための粉体移送システム、
少なくとも1つの列のカートリッジのそれぞれのカートリッジの充填状態を検出する複数のセンサセルを含むセンサモジュール、
少なくとも１つの列のカートリッジの、検出されたカートリッジそれぞれの各充填状態に応じて、粉体ディスペンサモジュールを制御する制御システム、および
粉体ディスペンサモジュールの配列に関連して少なくとも１つの列のカートリッジを動かすアクチュエータ、
を含む、前記粉体分注および検出装置。
【請求項１６】
粉体ディスペンサモジュールの少なくとも１つの直線配列が、単列の粉体ディスペンサモジュールを含む、請求項１５に記載の粉体分注および検出装置。
【請求項１７】
粉体移送システムが、単列の粉体ディスペンサモジュールの粉体ディスペンサモジュールそれぞれに粉体を個々に送達するように構成される、請求項１６に記載の粉体分注および検出装置。
【請求項１８】
粉体ディスペンサモジュールの少なくとも１つの直線配列が、２列の粉体ディスペンサモジュールを含む、請求項１７に記載の粉体分注および検出装置。
【請求項１９】
請求項１〜７のいずれか一項に記載の粉体ディスペンサモジュールを、１つ以上組み入れた、粉体分注および検出装置。
【請求項２０】
複数のカートリッジを保持するための支持構造、
各カートリッジに粉体を分注するための粉体ディスペンサモジュールを含む粉体ディスペンサアセンブリ、
粉体を粉体ディスペンサモジュールに送達するための粉体移送システム、
カートリッジそれぞれの各充填状態を検知するための複数のセンサセルを含む、センサモジュール、および
カートリッジそれぞれの検知された各充填状態に応じて粉体ディスペンサモジュールを制御するための制御システム、
を含む、請求項１９に記載の粉体分注および検出装置。
【請求項２１】
粉体ディスペンサモジュールであって、
粉体を受け入れるための粉体取入口、粉体取出口、ならびに粉体取入口および粉体取出口を連結する粉体チャンバを規定するハウジング、
粉体取出口を閉鎖するためのバルブエレメントおよび粉体を流動化させるための流動化エレメントを含むフィードウォンド、および
粉体の分注の間にフィードウォンドの振動運動を生み出すためのアクチュエータ、
を含む、前記粉体ディスペンサモジュール。